(57)【要約】【課題】  家庭用の浄水器であって水道水の濾過をしながら最小限の塩素濃度の確保を可能にする。【解決手段】外周空間を有する筒状ケース本体と、内部空間を有するフィルター受部と、フィルターとを備え、フィルターは、筒状ケース本体内において該筒状ケース本体の内周面と環状間隙をおいて同心に配置された中空の筒状体をなすとともに通過する水道水に含まれる塩素を除去する機能を有する第１フィルター部と、該第１フィルター部によって周りを取り囲まれる位置に配され前記第１フィルター部よりも塩素除去機能の低い第２フィルター部と、前記第１フィルター部の上端を遮蔽し、前記第２フィルター部の上方を覆う上板とを含み、前記外周空間と前記第１フィルターより出口流路側の空間とが第１フィルターの下方に形成された連通流路によって連通されてなる。【選択図】  図１
0003137167.tif 000002
【実用新案登録請求の範囲】
【請求項１】
入口流路に連通する外周空間を有する筒状ケース本体と、前記筒状ケース本体内に設けられていて出口流路に連通する内部空間を有するフィルター受部と、フィルター受部上に取り付けられ、前記外周空間と前記内部空間とを仕切るフィルターとを備え、前記フィルターは、筒状ケース本体内において該筒状ケース本体の内周面と環状間隙をおいて同心に配置された中空の筒状体をなすとともに通過する水道水に含まれる塩素を除去する機能を有する第１フィルター部と、該第１フィルター部によって周りを取り囲まれる位置に配され前記第１フィルター部よりも塩素除去機能の低い第２フィルター部と、前記第１フィルター部の上端を遮蔽し、前記第２フィルター部の上方を覆う上板とを含み、前記外周空間と前記第１フィルターより出口流路側の空間とが第１フィルターの下方に形成された連通流路によって連通されてなることを特徴とする、浄水器。
【請求項２】
連通流路が、前記外周空間と、第１フィルターと第２フィルターとの間の空間とを連通する流路であることを特徴とする請求項１に記載の浄水器。
【請求項３】
連通流路が、前記外周空間と、前記内部空間とを連通する流路であることを特徴とする請求項１に記載の浄水器。
【考案の詳細な説明】
【技術分野】
【０００１】
この考案は、家庭で使用される浄水器に関するものである。
【背景技術】
【０００２】
一般に、家庭用に用いられる水道水用の浄水器は、台所の流し台の水道蛇口，風呂場用給湯器の注湯口などのような、水道水が出る末端の個別の配管に接続されて使用されている。
【０００３】
この浄水器１００は、図３に示すように、水道の蛇口２を出た水道水は、配管を経て、基板部１０４の一方側に設けられた流入側配管接続部１０４ａから浄水器１００に流入する。流入した水は、図３において矢印で示すように、基盤部１０４の上面に設けられた環状溝１０４ｂを経て、ＳＵＳ３０５製板金からなる筒状ケーシング１０５と不織布などからなる濁度フィルター１０７との間の環状の間隙１０６に流入する。間隙１０６内の水は、間隙１０６内を上昇するとともに徐々に内側へも流入して濁度フィルター１０７を通過し、濁度フィルター１０７と繊維状活性炭フィルター１０９との間の環状の間隙１０８へ流入する。間隙１０８内の水は、間隙１０８内を上昇するとともに徐々に内側へも流入して繊維活性炭フィルター１０９を通過し、繊維活性炭フィルター１０９とセラミックフィルター１１１との間の環状の間隙１１０へ流入して上昇する。
【０００４】
濁度フィルター１０７，繊維活性炭フィルター１０９およびセラミックフィルター１１１は、基盤部１０４上に、フィルター支持板１１３を介して支持されている。また、濁度フィルター１０７，繊維活性炭フィルター１０９およびセラミックフィルター１１１の上端は、上板１１４の下面に嵌合しており、上板１１４の上は、ヘッドキャップ１１５によりさらに覆われて、上板１１４とヘッドキャップ１１５との間に上部空間１１６を構成している。
【０００５】
濁度フィルター１０７および繊維活性炭フィルター１０９を通過し、あるいは環状の間隙１０６，１０８，１１０を上昇した水は、上方からセラミックフィルター１１１内に流入する。セラミックフィルター１１１内を下降した水は、抗菌フィルター１１２を通過して基盤部１０４に流入し、流出側配管接続部１０４cを経て注水管から流出する。
【０００６】
浄水器１００による水道水のろ過方法としては、まず濁度フィルター１０７で３０μｍ以上の大きさの異物が除去され、繊維活性炭フィルター１０９で塩素と有機物とが除去された後、セラミックフィルター１１１のセラミックスと接触する。セラミックフィルター１１１には、界面活性および浸透力の向上を図る圧電性電子セラミックス，溶解力および熱伝導性の向上を図る遠赤外線セラミックス，味の改善を図るミネラルセラミックス，溶解力および浸透力の向上を図る磁気セラミックス，抗菌のための銅イオンセラミックスなどのセラミックスの粒が含まれている。
【０００７】
筒状ケーシング１０５の内周に沿う環状の間隙１０６を上昇する水の一部は、上板１１４の外縁とヘッドキャップ１１５との当接部の隙間から上部空間１１６内に流入するが、上部空間１１６は閉塞状態にあることから、流入した水は上部空間１１６内に滞留することになる。したがって、流入側配管接続部１０４ａから流入し流出側配管接続部１０４ｃから流出する水は、すべて繊維活性炭フィルター１０９を通過し、この繊維活性炭フィルター１０９において塩素が除去される。
【０００８】
ところで日本では水質基準に基づいて、塩素殺菌が義務付けられている。この水質基準の規定により、水道の蛇口から出る水については塩素濃度が０．１ｐｐｍ以上でなければならない。蛇口直結型浄水器の場合には、蛇口から出た水を飲料用に使用する直前で塩素を除去し、飲料用として適した水質にすることは、特に水質基準に違反するものではない。すなわち、浄水器で仮に蛇口から出る水に含まれる塩素を１００％除去しても特に問題は生じない。
【考案の開示】
【考案が解決しようとする課題】
【０００９】
近年、浄水器をマンションのメーターボックスなどにおいて、浄水施設からの水道本管と家庭内の末端の水道機器への分岐配管との間に取り付けて、家庭で使う水をまとめてろ過，除菌した後に、台所の流し台の水道蛇口や風呂場の給湯器などに水道水を供給することに対する要望が高まっている。このような浄水器の場合、メーターボックスという比較的ゆとりのある空間を利用することにより、台所ななどのような家庭内の末端の個別の水道機器近傍の空間をより広く使用することができるという利点がある。
【００１０】
しかしながら、このような浄水器においては、塩素を１００％除去してしまうと、水道の蛇口から出る水が塩素濃度が０．１ｐｐｍ以上でなければならないという水質基準が遵守されないことになる。また、家庭内の末端の水道機器が長期間使用されない場合に、塩素をほとんど含まない水道水が分岐配管内に長期間滞留し、腐食や雑菌の発生などが生じるおそれもある。
【００１１】
このような従来の問題点を解消するため、本考案は、水道メーターの下流に取り付けられて、家庭内で使用される水をまとめてろ過，除菌を行なうための浄水器において、通過する水道水の含有塩素量を確保することを可能にするとともに複雑な構造となることのない浄水器を提供することを目的とする。
【課題を解決するための手段】
【００１２】
上記目的を達成する本考案の浄水器は、入口流路に連通する外周空間を有する筒状ケース本体と、記筒状ケース本体内に設けられていて出口流路に連通する内部空間を有するフィルター受部と、フィルター受部上に取り付けられ、前記外周空間と前記内部空間とを仕切るフィルターとを備え、前記フィルターは、筒状ケース本体内において該筒状ケース本体の内周面と環状間隙をおいて同心に配置された中空の筒状体をなすとともに通過する水道水に含まれる塩素を除去する機能を有する第１フィルター部と、該第１フィルター部によって周りを取り囲まれる位置に配され前記第１フィルター部よりも塩素除去機能の低い第２フィルター部と、前記第１フィルター部の上端を遮蔽し、前記第２フィルター部の上方を覆う上板とを含み、前記外周空間と前記第１フィルターより出口流路側の空間とが第１フィルターの下方に形成された連通流路によって連通されてなることを特徴とする。
【００１３】
この浄水器の好ましい実施例においては、連通流路が、第１フィルターの下方に形成された連通流路であって、前記外周空間と、第１フィルターと第２フィルターとの間の空間とを連通する流路であることを特徴とする。あるいは、連通流路が、第１フィルターの下方に形成された連通流路であって、前記外周空間と、前記内部空間とを連通する流路であることを特徴とする。
【考案の効果】
【００１４】
以上説明したように、本考案によれば、バイパス流路を通過する水道水は、第１のフィルター部を通過しないことから塩素を含んだ状態でフィルターを通過し、バイパス流路を通過しない水道水と合流するため、フィルターを通過する水道水全体としては、所定の塩素含有量が確保される。したがって、メーターボックスなどに取り付けて家庭で使う水を入り口でまとめてろ過、除菌するために用いられる浄水器に適用することにより、水道の蛇口などの末端の水道機器から流出する塩素濃度を水質基準を満たす程度に維持することができる。しかも本考案においては、バイパス流路を第１フィルターの上方に設ける必要がなく、外周空間と、第１フィルターと第２フィルターとの間の空間とを連通する流路、あるいは、連通流路が、前記外周空間と、前記内部空間とを連通する流路は、繊維活性炭フィルターの通過を回避して迂回するバイパス流路を構成するので、浄水器全体の構成を簡単な構成とすることができる。
【考案を実施するための最良の形態】
【００１５】
以下、本考案の実施の形態１の浄水器１について、図１に基づいて説明する。本実施の形態の浄水器１は、図１に模式的に示すように、入口流路に連通する外周空間３を有する筒状ケース本体４と、
前記筒状ケース本体４内に設けられていて出口流路５に連通する内部空間６を有するフィルター受部７と、
フィルター受部７上に取り付けられ、前記外周空間３と前記内部空間６とを仕切るフィルター８とを備え、
前記フィルター８は、筒状ケース本体４内において該筒状ケース本体４の内周面９と環状間隙１０をおいて同心に配置された中空の筒状体をなすとともに通過する水道水に含まれる塩素を除去する機能を有する第１フィルター部１１と、該第１フィルター部１１によって周りを取り囲まれる位置に配され前記第１フィルター部１１よりも塩素除去機能の低い第２フィルター部１２と、前記第１フィルター部１１の上端を遮蔽し、前記第２フィルター部の上方を覆う上板１３とを含み、
前記外周空間３と前記第１フィルターより出口流路側の空間とが第１フィルター１１の下方に形成された連通流路１４によって連通されてなる。
【００１６】
水道本管から流入側配管を経て浄水器１に流入した水は、下部ベース１５の上面に設けられた環状の外周空間３を経て、板金からなる筒状ケース本体４と第１フィルター部１１である繊維活性炭フィルターとの間の環状間隙１０に流入する。環状間隙１０内の水は、環状間隙１０内を上昇するとともに徐々に内側へも流入して第１フィルター部１１を通過し、第２フィルター部１２であるセラミックフィルターとの間の環状間隙１６へ流入して上昇する。
【００１７】
第１フィルター部１１および第２フィルター部１２は、下部ベース１５上に、フィルター受部７を介して支持されている。また、第１フィルター部１１および第２フィルター部１２の上端は、上板１３の下面に接合している。
第１フィルター部１１を通過し、環状間隙１６を上昇した水は、上方から第２フィルター部１２内に流入する。第２フィルター部１２内を下降した水は、抗菌フィルターなどを通過してフィルター受部７内に流入し、出口流路５を介して分岐配管へ流出する。
【００１８】
前記外周空間３と、前記第１フィルターより出口流路側の空間とが第１フィルターの下方に形成された連通流路１４によって連通されている。
図１の部分拡大図は、連通流路１４が、前記外周空間３と、第１フィルターと第２フィルターとの間の空間１０とを連通する態様の流路の場合を示し、図２は、図１の丸で囲った部分の他の実施形態を示しており、連通流路１４が、前記外周空間３と、前記内部空間６とを連通する態様の流路の場合を示している。
【００１９】
前記外周空間３と、第１フィルター部１１と第２フィルター部１２との間の空間１０とを連通する連通流路１４、あるいは、前記外周空間３と、前記内部空間６とを連通する連通流路１４は、繊維活性炭フィルターの通過を回避して迂回するバイパス流路を構成する。
【００２０】
このように、本実施の形態の浄水器１においては、上記従来の浄水器の場合のように流入側配管接続部から流入して流出側配管接続部から流出する水のすべてが繊維活性炭フィルターを通過するのではなく、一部の水道水が、繊維活性炭フィルターの通過を回避したバイパス流路を通過する。そのため、この一部の水に含まれる塩素の多くが除去されることなく残留し、その結果、浄水器を通過する水道水に含まれる塩素の含有量を確保することができる。
【００２１】
連通流路の開口径や長さを適宜変えて、バイパス流路を流れる水道水の流量比率を設定することにより、浄水器３を通過した水道水の塩素を必要に応じた濃度に設定することが可能である。
【図面の簡単な説明】
【００２２】
【図１】本考案の実施の形態の浄水器の縦断面構造を示す図である。
【図２】本考案の他の実施の形態を示す部分断面図である。
【図３】従来の浄水器を示す断面図である。
【符号の説明】
【００２３】
１  浄水器
３  外周空間
４  筒状ケース本体
６  内部空間
１１  第１フィルター部
１２  第２フィルター部
１４  連通流路
【図１】
0003137167.tif 000003
【図２】
0003137167.tif 000004
【図３】
0003137167.tif 000005